(57)【要約】【課題】検査時間の短縮及び技師の手間の軽減を実現することができ、さらに、被検者の身体的及び精神的な負担を軽減することができ、加えて、女性被検者の精神的な負担を抑えることができる医用画像診断装置を提供する。【解決手段】被検体Ｍが載置される天板２ａ、収容フレーム２１内に移動可能に設けられ天板２ａを支持する支持フレーム２３、収容フレーム２１内に設けられ天板２ａを支持する支持ローラ２４、天板２ａと支持フレーム２３との間に設けられた第１の荷重検出器２５、及び、支持ローラ２４と収容フレーム２１との間に設けられた第２の荷重検出器２６を有する寝台２Ａと、被検体Ｍが天板２ａに載置されていない状態で検出された第１の荷重及び第２の荷重と、被検体Ｍが天板２ａに載置されている状態で検出された第１の荷重及び第２の荷重とを用いて、被検体Ｍの有無による荷重差を算出し、被検体Ｍの体重を求める手段とを備える。【選択図】図２
2010017457.tif 000002
【特許請求の範囲】
【請求項１】
収容フレームと、
前記収容フレームの両端の一方に位置付けられ、前記収容フレーム内に前記収容フレームに沿って移動可能に設けられた支持フレームと、
前記収容フレームの両端の他方に位置付けられ、前記収容フレーム内に前記支持フレームの移動方向に回転可能に設けられた支持ローラと、
前記支持フレーム及び前記支持ローラ上に前記支持フレームに固定されて設けられ、被検体が載置される天板と、
前記天板と前記支持フレームとの間に設けられ、第１の荷重を検出する第１の荷重検出器と、
前記支持ローラと前記収容フレームとの間に設けられ、第２の荷重を検出する第２の荷重検出器と、
を有する寝台と、
前記被検体が前記天板に載置されていない状態で検出された前記第１の荷重及び前記第２の荷重と、前記被検体が前記天板に載置されている状態で検出された前記第１の荷重及び前記第２の荷重とを用いて、前記天板に対する前記被検体の有無による荷重差を算出し、前記被検体の体重を求める手段と、
を備えることを特徴とする医用画像診断装置。
【請求項２】
被検体が載置される移動可能な天板を有する寝台と、
前記寝台が設置される床面に前記寝台の両端の一方に位置付けられて設けられ、前記寝台が載置されて第３の荷重を検出する第３の荷重検出器と、
前記寝台が設置される床面に前記寝台の両端の他方に位置付けられて設けられ、前記寝台が載置されて第４の荷重を検出する第４の荷重検出器と、
前記被検体が前記天板に載置されていない状態で検出された前記第３の荷重及び前記第４の荷重と、前記被検体が前記天板に載置されている状態で検出された前記第３の荷重及び前記第４の荷重とを用いて、前記天板に対する前記被検体の有無による荷重差を算出し、前記被検体の体重を求める手段と、
を備えることを特徴とする医用画像診断装置。
【請求項３】
被検体が載置される移動可能な天板を有する寝台と、
前記寝台が設置される床面に埋められて設けられ、前記寝台が載置されて第５の荷重を検出する第５の荷重検出器と、
前記被検体が前記天板に載置されていない状態で検出された前記第５の荷重と、前記被検体が前記天板に載置されている状態で検出された前記第５の荷重とを用いて、前記天板に対する前記被検体の有無による荷重差を算出し、前記被検体の体重を求める手段と、
を備えることを特徴とする医用画像診断装置。
【請求項４】
前記求める手段は、前記天板が前記寝台上の移動初期位置にあるか否かを判断し、前記天板が前記寝台上の移動初期位置にあると判断した場合に前記被検体の体重を求めることを特徴とする請求項１ないし３のいずれか一に記載の医用画像診断装置。
【請求項５】
前記求める手段により求められた前記被検体の体重を表示する表示部を備えることを特徴とする請求項１ないし４のいずれか一に記載の医用画像診断装置。
【発明の詳細な説明】
【技術分野】
【０００１】
本発明は、医用画像診断装置に関し、特に、医用画像を撮影する医用画像診断装置に関する。
【背景技術】
【０００２】
医用画像診断装置は、医用画像を撮影して診断に用いるための装置である。この医用画像診断装置としては、被検体に対して多方向からＸ線を照射した結果得られる投影データを収集及び再構成し、被検体の断層画像を取得するＸ線ＣＴ装置（Ｘ線断層撮影装置）やＸ線透視撮影装置などが挙げられる（例えば、特許文献１参照）。
【０００３】
このような医用画像診断装置において、画像診断の際に画像にコントラストを付けたり、特定の組織を強調したりして撮影するために、被検者（例えば、患者や被験者など）に造影剤が投与されている。被検者に投与される造影剤の分量は、被検者の体重から算出することができ、被検者の体重測定は体重計を用いて撮影の事前に行なわれていることが多い。
【特許文献１】特開平９−５６７１１号公報
【発明の開示】
【発明が解決しようとする課題】
【０００４】
しかしながら、撮影前に体重計を用いて体重測定することは、以下の３つの問題点がある。
１．検査時間が長く、技師の手間が大きい。
２．被検者の身体的及び精神的な負担が大きい。
３．体重を気にする傾向のある女性被検者に精神的な負担をかける。
【０００５】
被検者が検査室に入室してから、撮影を行い、検査室を退室するまでの間のスループットは短時間であればあるほど、時間的な効率面からベストであるが、現状の検査の流れでは、撮影前に体重計による体重測定が行われる。技師は被検者を体重計に導いて乗せ、その後、体重計から医用画像診断装置に導いてその寝台に寝かせる必要がある。このため、一人当たりの検査時間が長くなってしまい、さらに、技師の手間も増大してしまう。
【０００６】
また、体重計による体重測定は、外傷を負っている被検者や、身体的に障がいもしくは高齢により体力の弱い被検者にとって身体的な負担となってしまう。特に、体重計に立つことのできない寝たきりの被検者及び重篤な状態の被検者にとって無理な体重測定は身体的な負担を大きくしてしまう。
【０００７】
ここで、被検者が通院している患者や入院している患者である場合には、被検者の体重は定期的に測定され、データベースに保存されているが、体重は日々の体調によって変化するものである。したがって、検査日の当日、特に検査直前に測定された正確な体重から最適な造影剤使用量（造影剤の分量）を算出することが望ましい。
【０００８】
例えば、造影剤使用量が少ないために、求めている画像が得られずに再検査を行うことは、被検者にとって過剰な被曝を被ることになるリスクがある。逆に、造影剤使用量が過剰であるために、造影剤による副作用（吐き気やかゆみ、じん麻疹など）が起きることもある。いずれにせよ最適な造影剤使用量が被検者に投与されないと、被検者の身体的な負担が大きくなってしまう。
【０００９】
また、被検者は基本的に撮影検査を短時間で済ませたいという気持ちを抱き、検査室に長居したくないものである。個人差はあるものの被検者は精神的なストレスを感じるため、精神的な負担を受けることになってしまう。
【００１０】
また、女性被検者の多くは自身の体重をたとえ技師であろうとも他の者に知られることを快く思わないものである。したがって、身体的に直接的な負担がかかることが少ない場合でも、少なくとも精神的なストレスを感じるため、精神的な負荷を受けることになってしまう。
【００１１】
本発明は、上記に鑑みてなされたものであり、その目的は、検査時間の短縮及び技師の手間の軽減を実現することができ、さらに、被検者の身体的及び精神的な負担を軽減することができ、加えて、女性被検者の精神的な負担を抑えることができる医用画像診断装置を提供することである。
【課題を解決するための手段】
【００１２】
請求項１記載の発明の特徴は、医用画像診断装置において、収容フレームと、収容フレームの両端の一方に位置付けられ、収容フレーム内に収容フレームに沿って移動可能に設けられた支持フレームと、収容フレームの両端の他方に位置付けられ、収容フレーム内に支持フレームの移動方向に回転可能に設けられた支持ローラと、支持フレーム及び支持ローラ上に支持フレームに固定されて設けられ、被検体が載置される天板と、天板と支持フレームとの間に設けられ、第１の荷重を検出する第１の荷重検出器と、支持ローラと収容フレームとの間に設けられ、第２の荷重を検出する第２の荷重検出器と、を有する寝台と、被検体が天板に載置されていない状態で検出された第１の荷重及び第２の荷重と、被検体が天板に載置されている状態で検出された第１の荷重及び第２の荷重とを用いて、天板に対する被検体の有無による荷重差を算出し、被検体の体重を求める手段と、を備えることである。
【００１３】
請求項２記載の発明の特徴は、医用画像診断装置において、被検体が載置される移動可能な天板を有する寝台と、寝台が設置される床面に寝台の両端の一方に位置付けられて設けられ、寝台が載置されて第３の荷重を検出する第３の荷重検出器と、寝台が設置される床面に寝台の両端の他方に位置付けられて設けられ、寝台が載置されて第４の荷重を検出する第４の荷重検出器と、被検体が天板に載置されていない状態で検出された第３の荷重及び第４の荷重と、被検体が天板に載置されている状態で検出された第３の荷重及び第４の荷重とを用いて、天板に対する被検体の有無による荷重差を算出し、被検体の体重を求める手段と、を備えることである。
【００１４】
請求項３記載の発明の特徴は、医用画像診断装置において、被検体が載置される移動可能な天板を有する寝台と、寝台が設置される床面に埋められて設けられ、寝台が載置されて第５の荷重を検出する第５の荷重検出器と、被検体が天板に載置されていない状態で検出された第５の荷重と、被検体が天板に載置されている状態で検出された第５の荷重とを用いて、天板に対する被検体の有無による荷重差を算出し、被検体の体重を求める手段と、を備えることである。
【発明の効果】
【００１５】
本発明によれば、検査時間の短縮及び技師の手間の軽減を実現することができ、さらに、被検者の身体的及び精神的な負担を軽減することができ、加えて、女性被検者の精神的な負担を抑えることができる医用画像診断装置を提供することができる。
【発明を実施するための最良の形態】
【００１６】
（第１の実施の形態）
本発明の第１の実施の形態について図１ないし図３を参照して説明する。
【００１７】
図１に示すように、本発明の第１の実施の形態に係る医用画像診断装置１は、患者や被験者等の被検体Ｍが載置される寝台２Ａと、その寝台２Ａ上の被検体Ｍに対し医用画像を撮影する撮影動作を行う撮影部３と、寝台２Ａ及び撮影部３などの各部を制御する制御装置４とを備えている。この医用画像診断装置１としては、例えば、被検体Ｍの医用画像を断層撮影するＸ線ＣＴ装置（Ｘ線断層撮影装置）が挙げられる。
【００１８】
寝台２Ａは、被検体Ｍが載置される天板２ａと、その天板２ａを支持して水平方向に移動させる水平移動機構２ｂと、その水平移動機構２ｂを介して天板２ａを鉛直方向に移動させる鉛直移動機構２ｃとにより構成されている。この寝台２Ａは、水平移動機構２ｂ及び鉛直移動機構２ｃにより天板２ａを移動させ、天板２ａ上の被検体Ｍを所定の位置に位置付ける。
【００１９】
天板２ａは、被検体Ｍを横に寝かして載せるため、例えば長方形状に形成されており、水平方向に移動可能に水平移動機構２ｂ上に設けられている。この天板２ａの水平移動方向は、撮影部３に向かってせり出すせり出し方向（図１中の左方向）と、撮影部３から元の位置に戻る戻り方向（図１中の右方向）との２方向である。なお、せり出し方向は天板２ａが撮影部３に近づく近接方向であり、戻り方向は天板２ａが撮影部３から離反する離反方向である。
【００２０】
水平移動機構２ｂは、天板２ａを水平方向、すなわちせり出し方向及び戻り方向に移動可能に支持し、その天板２ａをせり出し方向及び戻り方向に移動させる機構である。この水平移動機構２ｂは、水平方向に移動する天板２ａを片持ち可能な構造に形成されている。また、鉛直移動機構２ｃは、水平移動機構２ｂを支持して鉛直方向に移動させる機構である。
【００２１】
図２に示すように、水平移動機構２ｂは、筐体となる収容構造体としての収容フレーム２１と、その収容フレーム２１内に設けられた一対のレール２２と、収容フレーム２１内に移動可能に設けられ天板２ａを支持する支持構造体としての支持フレーム２３と、収容フレーム２１内に設けられ支持フレーム２３の移動に応じた天板２ａの移動を可能に天板２ａを支持する支持ローラ２４と、天板２ａと支持フレーム２３との間に設けられ第１の荷重を検出する第１の荷重検出器２５と、支持ローラ２４と収容フレーム２１との間に設けられ第２の荷重を検出する第２の荷重検出器２６とを有している。
【００２２】
収容フレーム２１は、例えば直方体形状の箱型に形成されている。一対のレール２２は、収容フレーム２１の底面にその長手方向、すなわちせり出し方向及び戻り方向に沿って平行に設けられている。これらのレール２２は支持フレーム２３をせり出し方向及び戻り方向に案内する。
【００２３】
支持フレーム２３は、収容フレーム２１の両端の一方（図２中の右側の端部）に位置付けられて設けられている。この支持フレーム２３は、駆動モータやベルトなどを有する移動機構（図示せず）により収容フレーム２１、すなわち一対のレール２２に沿って水平方向に移動するトラベルフレームである。この支持フレーム２３には、天板２ａが固定されており、支持フレーム２３の移動と共に天板２ａも移動する。
【００２４】
ここで、位置検出器としてのエンコーダが支持フレーム２３移動用の駆動モータに設けられており、そのエンコーダがフィードバック制御に用いられる。制御装置４はそのエンコーダの値から支持フレーム２３、すなわち天板２ａの位置を把握することができる。
【００２５】
支持ローラ２４は、収容フレーム２１の両端の他方（図２中の左側の端部）に位置付けられ、支持フレーム２３の移動方向に回転可能に複数個設けられている。これらの支持ローラ２４は収容フレーム２１の端部に位置しており、天板２ａの先端を支持する。なお、複数の支持ローラ２４は三点支持などの水平バランスを維持可能な配置で設けられる。
【００２６】
第１の荷重検出器２５は、荷重を電気信号に変換するロードセルと呼ばれる荷重変換器である。この第１の荷重検出器２５は支持フレーム２３上に載置されて天板２ａを支持しており、制御装置４に電気的に接続されている。
【００２７】
第２の荷重検出器２６も、荷重を電気信号に変換するロードセルと呼ばれる荷重変換器である。この第２の荷重検出器２６は、支持ローラ２４の数と同じ数だけ収容フレーム２１の底面に固定されて設けられており、制御装置４に電気的に接続されている。これらの第２の荷重検出器２６上に支持ローラ２４が回転可能にそれぞれ載置されている。
【００２８】
ここで、荷重変換器は、力や重さによる金属の微妙な歪みにより抵抗値が変化するセンサ（ロードセル）からの電気信号をアンプで増幅し、荷重を電気信号に変換する機器である。この荷重変換器としては、例えば、ひずみゲージ式荷重変換器、圧縮式（ボタンやダイヤフラム）ロードセル、引張・圧縮型（両用型）ロードセル、ビーム型ロードセル及び片持梁ビーム型ロードセルなどを用いる。
【００２９】
図１に戻り、撮影部３は、Ｘ線を照射するＸ線照射部３ａと、そのＸ線照射部３ａに供給する高電圧を発生させる高電圧発生部３ｂと、Ｘ線照射部３ａにより照射されたＸ線を検出するＸ線検出部３ｃと、そのＸ線検出部３ｃにより検出された投影データの収集を行うデータ収集部３ｄと、Ｘ線照射部３ａ及びＸ線検出部３ｃを対向させて回転可能に支持する架台３ｅとにより構成されている。
【００３０】
Ｘ線照射部３ａは、Ｘ線を出射するＸ線管１１と、そのＸ線管１１から出射されたＸ線を絞るコリメータなどの絞り部１２とを備えている。このＸ線照射部３ａは、架台３ｅの内部に設けられている。このようなＸ線照射部３ａは、Ｘ線管１１によりＸ線を出射し、そのＸ線を絞り部１２により絞って、寝台２Ａの天板２ａ上の被検体Ｍに照射する。
【００３１】
高電圧発生部３ｂは、Ｘ線照射部３ａの近傍に位置付けられ、架台３ｅの内部に設けられている。この高電圧発生部３ｂは、Ｘ線照射部３ａに供給する高電圧を発生させる装置であり、制御装置４から与えられた電圧を昇圧及び整流し、その電圧をＸ線照射部３ａに供給する。なお、制御装置４は、Ｘ線照射部３ａに所望のＸ線を発生させるため、高電圧発生部３ｂに与える電圧の波形、すなわち振幅やパルス幅等の各種条件を制御する。
【００３２】
Ｘ線検出部３ｃは、Ｘ線照射部３ａに対向させて架台３ｅの内部に設けられている。このＸ線検出部３ｃは、寝台２Ａの天板２ａ上の被検体Ｍを透過したＸ線から得られるＸ線投影情報を光学情報に変換し、その光学情報を電気信号に変換してデータ収集部３ｄに送信する。
【００３３】
データ収集部３ｄは、Ｘ線検出部３ｃの近傍に位置付けられ、架台３ｅの内部に設けられている。このデータ収集部３ｄは、Ｘ線検出部３ｃから送信された電気信号を投影データとして収集し、その投影データを制御装置４に送信する。
【００３４】
架台３ｅは、円筒状に形成されており、被検体Ｍの検査のために寝台２Ａの天板２ａが挿入される貫通孔Ｈを有している。この架台３ｅは、貫通孔Ｈを挟むようにＸ線照射部３ａ及びＸ線検出部３ｃを対向させ、さらに、貫通孔Ｈの周囲を回転可能に支持している。
【００３５】
制御装置４は、各部を制御する制御部４ａ、投影データに基づいて画像再構成を含む画像処理を行う画像処理部４ｂ、各種データや各種プログラムなどを記憶する記憶部４ｃ、操作者による入力操作を受け付ける操作部４ｄ及び画像を表示する表示部４ｅ等を備えている。これらの各部４ａ〜４ｅは、バスライン４ｆにより電気的に接続されている。
【００３６】
制御部４ａは、水平移動機構２ｂや鉛直移動機構２ｃ、高電圧発生部３ｂなどの各部を制御する。また、制御部４ａは、第１の荷重検出器２５により検出された第１の荷重や第２の荷重検出器２６により検出された第２の荷重などを収集したり、エンコーダにより検出された天板２ａの移動量（水平移動量及び鉛直移動量）を収集したり、あるいは、被検体Ｍの体重や医用画像を表示部４ｅに表示したりする。
【００３７】
ここで、制御部４ａは、被検体Ｍとしての被検者の体重測定を行う場合、被検者が天板２ａに寝ていない状態で検出された第１の荷重及び第２の荷重と、被検者が天板２ａに寝ている状態で検出された第１の荷重及び第２の荷重とを用いて、天板２ａに対する被検者の有無による荷重差を算出し、被検者の体重を求める。すなわち、制御部４ａは、被検者が天板２ａに寝ていない状態で検出された第１の荷重及び第２の荷重を加算して天板２ａの重量を求め、その天板２ａの重量をあらかじめ記憶部４ｃに格納しておく。その後、被検者が天板２ａに寝た場合には、被検者が天板２ａに寝ている状態で検出された第１の荷重及び第２の荷重を加算し、その値から前述の天板２ａの重量を減算し、被検者の体重を求める。
【００３８】
画像処理部４ｂは、データ収集部３ｄから送信された投影データに対し、画像再構成を含む画像処理を行い、その後、医用画像を記憶部４ｃやネットワークを介して接続された他の記憶装置などに保存する。この画像処理部４ｂとしては、例えばアレイプロセッサなどを用いる。
【００３９】
記憶部４ｃは、各種プログラムや各種データなどを記憶する記憶装置であって、特に、各種データとして、被検体Ｍの体重測定に用いる情報（例えば、前述の天板２ａの重量に関する重量情報など）や撮影した医用画像等を記憶する記憶装置である。この記憶部４ｃとしては、例えば、ＲＯＭ、ＲＡＭ、フラッシュメモリ及びハードディスクなどを用いる。
【００４０】
操作部４ｄは、操作者により入力操作される入力部である。この操作部４ｄとしては、例えば、キーボードやマウスなどを用いる。操作者は、操作部４ｄを入力操作して、撮影部３による撮影を行ったり、あるいは、再構成後の複数の医用画像から希望する医用画像を選択表示させたりする。
【００４１】
表示部４ｅは、被検体Ｍの医用画像や操作画面等の各種の画像を表示する表示装置である。この表示部４ｅとしては、例えば、液晶ディスプレイやＣＲＴ（ブラウン管）ディスプレイ等を用いる。表示部４ｅは、操作部４ｄなどと共に、寝台２Ａや撮影部３がある検査室（撮像室）の隣室のオペレータ室に設けられている。この検査室内の表示部４ｅに被検体の体重が表示されるが、これに限るものではなく、例えば、被検者が寝台２Ａ上に寝た状態で被検者の視野範囲外に位置付けられて検査室内に設けられた表示部（例えば、ユーザナビゲーション用の画像を表示する表示部など）に表示されるようにしてもよい。
【００４２】
次に、このような医用画像診断装置１が行う体重測定動作について説明する。なお、医用画像診断装置１の制御部４ａが各種プログラム及び各種情報に基づいて体重測定処理を実行する。
【００４３】
図３に示すように、制御部４ａは、天板２ａが移動初期位置にあるか否かを判断し（ステップＳ１）、天板２ａが移動初期位置にないと判断した場合には（ステップＳ１のＮＯ）、処理をステップＳ１に戻す。一方、天板２ａが移動初期位置にあると判断した場合には（ステップＳ１のＹＥＳ）、荷重が増加して安定したか否かを判断し（ステップＳ２）、荷重が増加して安定していないと判断した場合には（ステップＳ２のＮＯ）、処理をステップＳ１に戻す。一方、荷重が増加して安定したと判断した場合には（ステップＳ２のＹＥＳ）、検出した荷重を用いて被検体Ｍの体重を求め（ステップＳ３）、求めた被検体Ｍの体重を表示する（ステップＳ４）。
【００４４】
まず、技師は被検体Ｍである被検者を寝台２Ａに導いて寝台２Ａの天板２ａに寝かせる。このとき、天板２ａは待機位置としての移動初期位置（図２の位置）にある。さらに、天板２ａは鉛直移動機構２ｃにより鉛直方向に移動し、床面から被検者が乗り降りしやすい高さに位置付けられている。
【００４５】
被検者は天板２ａに載って横になる。このとき、検出される荷重が増加し、被検者が完全に寝て振動がなくなると、検出される荷重が安定する。検出される荷重が安定すると、被検者が天板２ａに寝ている状態で検出された第１の荷重及び第２の荷重が加算され、記憶部４ｃから天板２ａの重量が読み込まれ、加算された値から天板２ａの重量が減算され、被検者の体重が求められる。その後、その被検体Ｍの体重が表示部４ｅに表示される。
【００４６】
技師はその表示部４ｅに表示された体重を視認し、その体重から最適な造影剤使用量（造影剤の分量）を求める。ここでは、被検者の体重を表示部４ｅに表示しているが、これに限るものではなく、例えば、制御部４ａにより被検者の体重から最適な造影剤使用量を所定の計算式（例えば、所定の体重範囲ごとに最適な造影使用量が決まるような計算式）により算出し、算出した最適な造影剤使用量を表示部４ｅに表示するようにしてもよい。
【００４７】
その後、最適な分量の造影剤が天板２ａ上に寝た状態の被検者に投与され、撮像動作が行われる。操作部４ｄが技師により入力操作され、撮像動作の開始が指示される。これに応じて、医用画像診断装置１は、被検者が載置された天板２ａを水平移動機構２ｂによりせり出し方向に移動させ、架台３ｅの貫通孔Ｈ内に挿入させ、天板２ａ上の被検者をその体軸方向に移動させる。なお、天板２ａは鉛直移動機構２ｃにより鉛直方向に移動し、床面から貫通孔Ｈ内に挿入可能な高さに位置付けられている。
【００４８】
この天板２ａの移動と共に、医用画像診断装置１は、撮影部３のＸ線照射部３ａ及びＸ線検出部３ｃを天板２ａ上の被検者の回りに沿って回転させながら、そのＸ線照射部３ａにより天板２ａ上の被検者に対してＸ線ビームを照射し、Ｘ線検出部３ｃにより、被検者を透過したＸ線ビームを検出する。このとき、医用画像診断装置１は、Ｘ線検出部３ｃからの電気信号をデータ収集部３ｄにより投影データとして収集し、その投影データを画像処理部４ｂにより処理し、処理後の医用画像を表示部４ｅに表示し、さらに、記憶部４ｃに保存する。
【００４９】
このように撮像動作を行う直前には、体重測定動作が行われ、被検者を天板２ａ上に寝かせた時には、すでに被検者の体重が測定されている。これにより、体重を測定するために体重計に載るような行為が省かれるので、迅速に造影剤の分量を算出することが可能となり、検査時間を短縮することができる。加えて、技師は被検者を体重計に導いて乗せ、さらに、体重計から寝台２の天板２ａ上に導いて寝かせる必要がなくなるので、技師の手間を軽減することができる。
【００５０】
また、被検者が天板２ａに寝ている状態で体重測定が行われるため、そのまま、撮影に移行することが可能であるので、スループットが向上し、検査時間を短縮することができる。さらに、被検者が天板２ａ上に寝るのと同時に、技師は、得られた被検者の体重から造影剤使用量を決定し、被検者に投与する造影剤の準備を開始することが可能となるので、検査時間をより確実に短縮することができる。
【００５１】
また、体重計を用いずに体重測定が行われるので、外傷を負っている被検者や、身体的に障がいもしくは高齢により体力の弱い被検者にとっての身体的な負担を軽減することができ、特に、体重計に立つことのできない寝たきりの被検者及び重篤な状態の被検者にとっての身体的な負担も軽減することができる。
【００５２】
さらに、体重計を用いなくても、検査の直前に正確な体重から最適な造影剤使用量を算出することが可能となり、最適な造影剤使用量の造影剤が被検者に投与されるので、造影剤使用量が少ないことに起因する再検査による被曝や造影剤使用量が多いことに起因する副作用などの造影剤使用量の不適量に起因する被検者の身体的な負担を軽減することができる。
【００５３】
加えて、検査時間の短縮は、個人差はあるものの検査室に長居したくない被検者のストレスを最小限に抑え、被検者に対する精神的な負担を軽減することができる。さらに、女性被検者は体重測定が行われているということに気づくことはなく、余計なストレスを受けることがなくなるので、女性被検者に対する精神的な負担を抑えることができる。
【００５４】
以上説明したように、本発明の第１の実施の形態によれば、天板２ａと支持フレーム２３との間に設けられた第１の荷重検出器２５と、支持ローラ２４と収容フレーム２１との間に設けられた第２の荷重検出器２６と、被検体Ｍが天板２ａに載置されていない状態で検出された第１の荷重及び第２の荷重と、被検体Ｍが天板２ａに載置されている状態で検出された第１の荷重及び第２の荷重とを用いて、天板２ａに対する被検体Ｍの有無による荷重差を算出し、被検体Ｍの体重を求めることによって、被検体Ｍとしての被検者を天板２ａ上に寝かせた時には、すでに被検者の体重が測定されている。
【００５５】
これにより、体重を測定するために体重計に載るような行為が省かれるので、検査時間を短縮することができ、さらに、技師の手間を軽減することができる。また、体重計を用いずに体重測定が行われるので、様々な状態の被検者にとっての身体的な負担を軽減することができる。加えて、体重計を用いなくても検査の直前に正確な体重を測定し、最適な造影剤使用量を算出することが可能となるので、造影剤使用量の不適量に起因する被検者の身体的な負担を軽減することができる。
【００５６】
また、検査時間が短縮されるので、個人差はあるものの検査室に長居したくない被検者の精神的なストレスを最小限に抑え、被検者の精神的な負担を軽減することができる。さらに、女性被検者は体重測定が行われているということに気づくことはなく、余計なストレスを受けることがなくなるので、女性被検者の精神的な負担を抑えることができる。
【００５７】
（第２の実施の形態）
本発明の第２の実施の形態について図４を参照して説明する。
【００５８】
本発明の第２の実施の形態は第１の実施の形態と基本的に同じである。したがって、第２の実施の形態では、第１の実施の形態と異なる部分について説明する。なお、第２の実施の形態においては、第１の実施の形態で説明した部分と同じ部分の説明を省略する。
【００５９】
図４に示すように、本発明の第２の実施の形態に係る寝台２Ｂでは、第１の実施の形態に係る第１の荷重検出器２５及び第２の荷重検出器２６に換えて、第３の荷重を検出する第３の荷重検出器２７及び第４の荷重を検出する第４の荷重検出器２８が設けられている。
【００６０】
第３の荷重検出器２７及び第４の荷重検出器２８は、第１の実施の形態に係る第１の荷重検出器２５及び第２の荷重検出器２６と同様、荷重を電気信号に変換するロードセルと呼ばれる荷重変換器である。これらの第３の荷重検出器２７及び第４の荷重検出器２８は、寝台２Ｂが設置される床面上に設けられ、制御部４ａに電気的に接続されている。第３の荷重検出器２７は天板２ａの移動方向における寝台２Ｂの両端の一方（図４中の左側の端部）に位置付けられており、第４の荷重検出器２８はその両端の他方（図４中に右側の端部）に位置付けられている。寝台２Ｂは第３の荷重検出器２７及び第４の荷重検出器２８上に載置される。
【００６１】
制御部４ａは、被検体Ｍとしての被検者の体重測定を行う場合、被検者が天板２ａに寝ていない状態で検出された第３の荷重及び第４の荷重と、被検者が天板２ａに寝ている状態で検出された第３の荷重及び第４の荷重とを用いて、天板２ａに対する被検者の有無による荷重差を算出し、被検者の体重を求める。すなわち、制御部４ａは、被検体Ｍが天板２ａに寝ていない状態で検出された第３の荷重及び第４の荷重を加算して寝台２Ｂの重量を求め、その寝台２Ｂの重量をあらかじめ記憶部４ｃに格納しておく。被検者が天板２ａに寝た場合には、被検者が天板２ａに寝ている状態で検出された第３の荷重及び第４の荷重を加算し、その値から前述の寝台２Ｂの重量を減算し、被検者の体重を求める。
【００６２】
以上説明したように、本発明の第２の実施の形態によれば、第１の実施の形態と同様の効果を得ることができる。特に、体重測定機能を後付けする場合でも、第１の実施の形態に係る第１の荷重検出器２５及び第２の荷重検出器２６を設けるために水平移動機構２ｂを分解する行為を行う必要がなく、第３の荷重検出器２７及び第４の荷重検出器２８を容易に設けることができる。
【００６３】
（第３の実施の形態）
本発明の第３の実施の形態について図５を参照して説明する。
【００６４】
本発明の第３の実施の形態は第１の実施の形態と基本的に同じである。したがって、第３の実施の形態では、第１の実施の形態と異なる部分について説明する。なお、第３の実施の形態においては、第１の実施の形態で説明した部分と同じ部分の説明を省略する。
【００６５】
図５に示すように、本発明の第３の実施の形態に係る寝台２Ｃでは、第１の実施の形態に係る第１の荷重検出器２５及び第２の荷重検出器２６に換えて、第５の荷重を検出する第５の荷重検出器２９が設けられている。
【００６６】
第５の荷重検出器２９は、第１の実施の形態に係る第１の荷重検出器２５及び第２の荷重検出器２６と同様、荷重を電気信号に変換するロードセルと呼ばれる荷重変換器である。この第５の荷重検出器２９は、寝台２Ｃが設置される床面に埋められて設けられおり、制御部４ａに電気的に接続されている。寝台２Ｃは第５の荷重検出器２９上に載置される。なお、第５の荷重検出器２９は、床からの露出面積が寝台２Ｃの鉛直移動機構２ｃが載置される載置面より大きくなるように形成されている。
【００６７】
制御部４ａは、被検体Ｍとしての被検者の体重測定を行う場合、被検者が天板２ａに寝ていない状態で検出された第５の荷重と、被検者が天板２ａに寝ている状態で検出された第５の荷重とを用いて、天板２ａに対する被検者の有無による荷重差を算出し、被検者の体重を求める。すなわち、制御部４ａは、被検体Ｍが天板２ａに寝ていない状態で検出された第５の荷重を寝台２Ｃの重量として求め、その寝台２Ｃの重量をあらかじめ記憶部４ｃに格納しておく。被検者が天板２ａに寝た場合には、被検者が天板２ａに寝ている状態で検出された第５の荷重を求め、その値から前述の寝台２Ｃの重量を減算し、被検者の体重を求める。
【００６８】
以上説明したように、本発明の第３の実施の形態によれば、第１の実施の形態と同様の効果を得ることができる。特に、体重測定機能を後付けする場合でも、第１の実施の形態に係る第１の荷重検出器２５及び第２の荷重検出器２６を設けるために水平移動機構２ｂを分解する行為を行う必要がなく、第５の荷重検出器２９を容易に設けることができる。なお、ここでは、第５の荷重検出器２９を床面に埋めて露出させているが、これに限るものではなく、例えば、床面に埋めずに床面上に設けるようにしてもよい。
【００６９】
（他の実施の形態）
なお、本発明は、前述の実施の形態に限るものではなく、その要旨を逸脱しない範囲において種々変更可能である。例えば、前述の実施の形態に示される全構成要素から幾つかの構成要素を削除してもよい。さらに、異なる実施の形態に亘る構成要素を適宜組み合わせてもよい。
【図面の簡単な説明】
【００７０】
【図１】本発明の第１の実施の形態に係る医用画像診断装置の概略構成を示す模式図である。
【図２】図１に示す医用画像診断装置が備える寝台の概略構成を示す断面図である。
【図３】図１に示す医用画像診断装置が行う体重測定動作の流れを示すフローチャートである。
【図４】本発明の第２の実施の形態に係る医用画像診断装置が備える寝台の概略構成を示す断面図である。
【図５】本発明の第２の実施の形態に係る医用画像診断装置が備える寝台の概略構成を示す断面図である。
【符号の説明】
【００７１】
１    医用画像診断装置
２Ａ  寝台
２Ｂ  寝台
２Ｃ  寝台
２ａ  天板
３    撮影部
４ｅ  表示部
２１  収容フレーム
２３  支持フレーム
２４  支持ローラ
２５  第１の荷重検出器
２６  第２の荷重検出器
２７  第３の荷重検出器
２８  第４の荷重検出器
２９  第５の荷重検出器
Ｍ    被検体
【図１】
2010017457.tif 000003
【図２】
2010017457.tif 000004
【図３】
2010017457.tif 000005
【図４】
2010017457.tif 000006
【図５】
2010017457.tif 000007